(57)【要約】【課題】電子写真方式の画像形成装置において、多重色における画像欠陥を防止する。【解決手段】制御部２は、多重画像識別部４２からラスタイメージの画像の種別を表す信号を受け取り、この信号がライン画像信号か否かを判断する。この信号が中間調画像信号である場合は、制御部２は、記憶部３から中間調画像用のパラメータＰ１を読み出して、パターン発生部１１３が発生させるパターンに基づき、ハーフトーン画像を形成する。一方、この信号がライン画像信号である場合は、制御部２は画像が多重色であるか否かを判断する。ここで、画像が多重色でないと判断した場合には、制御部２は、記憶部３から単一色ライン画像用のパラメータＰ２を読み出して、画像を形成する。画像が多重色であると判断した場合には、制御部２は、記憶部３から多重色ライン画像用のパラメータＰ３を読み出して、画像を形成する。【選択図】図３
2009222784.tif 000002
【特許請求の範囲】
【請求項１】
画像の内容を記述した記述データを解析して、当該画像に含まれる画素毎に画像種別を識別する識別手段と、
前記記述データに基づいて、ラスタ形式のイメージデータであるラスタイメージを生成するラスタイメージ生成手段と、
前記ラスタイメージ生成手段が生成したラスタイメージを画素毎に解析し、２色以上の現像剤によって表される色であり且つその画像密度が所定密度以上になる画素を、多重色高密度画素として検出する検出手段と、
前記ラスタイメージに基づいて、帯電した像保持体の表面を露光して静電潜像を形成する潜像形成手段であって、前記識別手段により画像種別が線画または文字と識別され、前記検出手段により多重色高密度画素として検出された画素に対応する静電潜像を形成するときには、当該画素以外の画素に対応する静電潜像を形成するときよりも、前記露光を行うときの光量を下げる潜像形成手段と
を備えることを特徴とする画像形成装置。
【請求項２】
前記潜像形成手段が形成した静電潜像を現像剤で現像し、得られた像を記録材に転写して、当該記録材の表面に像を形成する像転写手段と、
前記記録材に所定のパターンで像を形成するパターン形成手段と、
前記パターン形成手段が形成した像を読み取る読取手段と、
前記読取手段の読取結果を解析し、その解析結果に応じて前記潜像形成手段による露光光の光量を補正する補正手段と
を備えることを特徴とする請求項１に記載の画像形成装置。
【請求項３】
前記像転写手段が形成した像を前記記録材に定着させる定着手段を具備し、
前記読取手段は、前記定着手段の前記記録材の搬送方向下流側に配置されていることを特徴とする請求項１又は２に記載の画像形成装置。
【請求項４】
前記識別手段により画像種別が絵柄または写真と識別された画素に対応する静電潜像を形成するときの露光光のパルス幅を制御するパルス幅制御手段を具備することを特徴とする請求項１ないし３のいずれかに記載の画像形成装置。
【発明の詳細な説明】
【技術分野】
【０００１】
本発明は、画像形成装置に関する。
【背景技術】
【０００２】
電子写真方式のカラー画像形成装置では、複数色のトナーを記録材に重ね合わせることによりカラーの画像を形成する。しかし、トナー量が多くなると、トナー同士の静電反発力等のために重ねられたトナーが画像の周囲に飛散してしまう、いわゆるブラーと呼ばれる現象が起こる場合がある。
特許文献１には、透明記録材に像を形成する場合に、有彩色部分にのみ出力レベルに制限を加えて画像の乱れを抑制する技術が記載されている。特許文献２には、中間転写体の比誘電率を高めることにより、複数色のトナーが重ねられた多重色トナー像のトナー飛散を防止する技術が記載されている。
【特許文献１】特開平８−９８０４８号公報
【特許文献２】特開２０００−１２２４４０号公報
【発明の開示】
【発明が解決しようとする課題】
【０００３】
本発明の目的は、電子写真方式の画像形成装置において、多重色における画像欠陥を防止することにある。
【課題を解決するための手段】
【０００４】
上述した課題を解決するため、本発明に係る画像形成装置は、画像の内容を記述した記述データを解析して、当該画像の画像種別を識別する識別手段と、前記記述データに基づいて、ラスタイメージを生成するラスタイメージ生成手段と、前記ラスタイメージ生成手段が生成したラスタイメージを画素毎に解析し、現像の際に２以上の現像剤を累積させることを要し、且つその画像密度が所定密度以上になる画素を多重色高密度画素として検出する検出手段と、前記記述データに基づいて、帯電手段による帯電を経た像保持体の表面を露光して静電潜像を形成する潜像形成手段とを具備し、前記潜像形成手段は、前記識別手段によりその画像種別が線画または文字と識別され、前記検出手段により多重色高密度画素として検出された画素について、露光光の光量を下げることを特徴とする。
【０００５】
好ましくは、前記潜像形成手段が形成した静電潜像を現像剤で現像し、得られた像を記録材に転写して、当該記録材の表面に像を形成する像転写手段と、前記記録材に所定のパターンで像を形成するパターン形成手段と、前記パターン形成手段が形成した像を読み取る読取手段と、前記読取手段の読取結果を解析して、前記潜像形成手段による露光光の光量を補正する補正手段とを備えるとよい。
また、好ましくは、前記像転写手段が形成した像を前記記録材に定着させる定着手段を具備し、前記読取手段は前記定着手段の下流に配置されているとよい。
また、好ましくは、前記識別手段によりその画像種別が、絵柄または写真と識別された画素について前記露光光のパルス幅を制御するパルス幅制御手段を具備するとよい。
【発明の効果】
【０００６】
本発明によれば、電子写真方式の画像形成装置において、多重色における画像欠陥を防止することができる。
【発明を実施するための最良の形態】
【０００７】
以下、本発明の実施の形態について図面を参照しつつ説明する。
［Ａ．構成］
図１は、画像形成装置１０００の全体構成を示すブロック図である。
制御部２は、ＣＰＵ（Central Processing Unit）などであり、画像形成装置１０００の各部を制御する。記憶部３はＲＡＭ（Random Access Memory）やＲＯＭ（Read Only Memory）、ＥＥＰＲＯＭ（Electrically Erasable Programmable Read Only Memory）などの記憶装置であり、制御部２に読み込まれる制御プログラムを記憶するほか、種々の制御パラメータを記憶する。画像処理部４は、制御部２の制御の下、ページ記述言語（以下、ＰＤＬ：Page Description Languageという）で記述された記述データ（以下、ＰＤＬデータという）を外部装置９から受信し、受信したこのＰＤＬデータに基づいて、ラスタ形式のイメージデータであるラスタイメージを生成し、画像形成部１に出力する。画像形成部１は、画像処理部４から受け取ったラスタイメージに基づいて、制御部２の制御の下、トナー像を形成し、記録材上に画像を形成する。
【０００８】
図２は、画像形成装置１０００の画像形成部１の構造を示す図である。
同図に示すように、画像形成部１は、用紙収容部１２と、画像形成ユニット１３と、転写部１４と、定着部１５と、冷却部１６と、搬送部１７と、インラインセンサ１８とを備えている。用紙収容部１２は、Ａ３やＡ４などの所定サイズにカットされた用紙を収容する。用紙収容部１２に収容されている用紙は、ピックアップローラなどにより１枚ずつ取り出され、用紙搬送路を経由して転写部１４へと搬送される。
【０００９】
画像形成ユニット１３Ｙ，１３Ｍ，１３Ｃ，１３Ｋ（以下、これらを区別しないときには単に画像形成ユニット１３という）は、それぞれ、像保持体である感光体ドラム、感光体ドラムの表面を帯電させる帯電部、帯電部による帯電を経た感光体ドラムの表面を露光して潜像を形成する潜像形成部、現像剤であるトナーを潜像の形成された感光体ドラムの表面に供給して潜像を現像する現像部、一次転写ロール及びクリーニング部材を備えており、ラスタイメージに応じたトナー像を形成し、転写部１４の中間転写ベルト１４１に重ねて転写する。転写部１４は、中間転写ベルト１４１と、二次転写ロール１４２と、中間転写ベルト１４１を挟んで二次転写ロール１４２と対向する対向ロール１４３とを備えており、画像形成ユニット１３の現像部により得たトナー像を用紙に転写する転写手段である。中間転写ベルト１４１は、図示せぬ駆動ロールによって図中のＡ方向に周回させられており、画像形成ユニット１３によってトナー像が重ねて転写されると、そのトナー像を二次転写ロール１４２及び対向ロール１４３の位置へと搬送する。二次転写ロール１４２は、中間転写ベルト１４１との電位差によって、中間転写ベルト１４１上のトナー像を用紙収容部１２から搬送されてきた用紙に転写させる。中間転写ベルト１４１からトナー像を転写された用紙は、定着部１５へ搬送される。なお、符号のＹ，Ｍ，Ｃ，Ｋはそれぞれ、イエロー、マゼンタ、シアン、ブラックのトナーに対応した構成であることを意味している。この転写部１４と画像形成ユニット１３の現像部および一次転写ロールは、制御部２によって制御され、画像形成ユニット１３の潜像形成部が形成した静電潜像を現像剤で現像し、得られたトナー像を用紙に転写して、用紙の表面にトナー像を形成する像転写手段として機能する。
【００１０】
定着部１５は、加熱ロール１５１と加圧ロール１５２とを備え、二次転写ロール１４２から搬送されてきた用紙を加熱ロール１５１及び加圧ロール１５２の間に挟み込み、その用紙に熱と圧力とを加えて、画像形成ユニット１３が形成したトナー像を用紙に定着させる。加熱ロール１５１は、その内部にハロゲンランプなどの熱源を有し、用紙表面の温度を約１００度に加熱する。加圧ロール１５２は、加熱ロール１５１に押し当てられており、加熱ロール１５１と加圧ロール１５２との間を通る用紙に圧力を加える。また、加熱ロール１５１の表面近傍には、金属や樹脂などで形成された剥離部材１５３が設けられている。加熱ロール１５１と加圧ロール１５２によって熱と圧力とが加えられることで定着工程を経た用紙は、この剥離部材１５３によって加熱ロール１５１から剥離され、搬送部１７によって冷却部１６へと搬送されるようになっている。
【００１１】
搬送部１７は、定着部１５と冷却部１６との間に設けられている。この搬送部１７は、２つの搬送ロールおよびこれら搬送ロールに掛け回された搬送ベルトを備え、定着部１５から排出された用紙を冷却部１６へ搬送する。
冷却部１６は、定着部１５の用紙の搬送方向下流側に配置され、その定着部１５によって溶融状態になったトナー像を冷却して固化させるための固化手段である。冷却部１６は、複数のロールに掛け回された無端ベルト部材を２つ有している。搬送部１７から搬送された用紙を、これら２つの無端ベルト部材によって挟持搬送する際に、無端ベルト部材の内部に備えられたヒートシンクによって、用紙から熱を奪って、その用紙を冷却する。
インラインセンサ１８は、白熱灯や白色発光ダイオードなどの光源とＣＣＤ（Charge Coupled Device）などの受光素子を有する。このインラインセンサ１８は、冷却部１６の用紙の搬送方向下流側に配置され、冷却部１６によって挟持搬送された後の用紙表面に光源が光を照射し、用紙表面から反射した反射光を受光素子が測定してこの反射光に対応する信号を出力する。これによりインラインセンサ１８は、用紙表面に形成された像を読み取る読取手段として機能する。
以上が画像形成部１の構造である。
【００１２】
図３は、画像処理部４および画像形成部１の電気的構成を示した図である。
図に示すように、画像処理部４は、ラスタイメージ生成部４１と、多重画像識別部４２と、色変換処理部４３と、階調処理部４４と、セレクタ４５とを備えている。また、画像形成部１は、上述した構成のほかに、ラスタイメージを露光のための露光信号に変調する変調部１１を備えている。
【００１３】
ラスタイメージ生成部４１は、受信したＰＤＬデータに基づいて、ラスタイメージを生成して色変換処理部４３へ出力するとともに、このＰＤＬデータを解析してこれに記述されている画像の種別を識別し、その種別に応じた画像種別識別信号を多重画像識別部４２へ出力する。ここで画像の種別とは、線画や、文字、絵柄および写真などである。そして、特に、線画や文字などのように線によって構成される画像はライン画像と呼び、絵柄や写真などのように中間階調によって表される画像は中間調画像と呼ぶ。
色変換処理部４３は、ラスタイメージ生成部４１が生成したラスタイメージをＲ（赤）Ｇ（緑）Ｂ（青）の三原色からＹ，Ｍ，Ｃ，Ｋの四色へ画素毎に変換し、変換したラスタイメージを多重画像識別部４２と階調処理部４４へ出力する。
【００１４】
多重画像識別部４２は、以下の２つの機能を有する。
多重画像識別部４２の第１の機能は、ラスタイメージ生成部４１が出力した画像種別識別信号を受け取り、ラスタイメージ生成部４１が生成したラスタイメージの画像がライン画像であるか中間調画像であるかを判定して、判定結果を制御部２に通知する機能である。具体的には、多重画像識別部４２は、画像種別識別信号が「線画」または「文字」であれば、ラスタイメージの画像がライン画像であることを示す信号（以下、ライン画像信号という）を、「絵柄」または「写真」であれば、ラスタイメージの画像が中間調画像であることを示す信号（以下、中間調画像信号という）をそれぞれ制御部２へ出力する。
【００１５】
多重画像識別部４２の第２の機能は、ラスタイメージ生成部４１が生成し色変換処理部４３が変換したラスタイメージを画素毎に解析し、各画素の色が多重色であってその画像密度が所定密度以上になる場合に、その画素を多重色高密度画素として検出し、検出結果を制御部２へ通知する機能である。ここで、多重色とは、現像の際に２色以上の現像剤によって表される色である。例えば、イエローやシアンは１色のトナーのみで発色するから、多重色ではなく単一色であるが、グリーン（緑）は、イエローとシアンを重ねることで発色するので、多重色である。多重画像識別部４２は、Ｙ，Ｍ，Ｃ，Ｋの四色それぞれについて設定された閾値を記憶しており、解析した画素の各色の階調値をそれぞれの閾値と比較して、２色以上の階調値がその閾値以上である場合に、その画素を多重色高密度画素として検出する。
【００１６】
階調処理部４４は、色変換処理部４３からＹ，Ｍ，Ｃ，Ｋの四色で表現されたラスタイメージを受け取り、制御部２の制御の下、画像形成における感光体の特性やダイナミックレンジにあわせるように、各画素の階調値を調節する。
セレクタ４５は、階調処理部４４で階調値を調節されたラスタイメージを出力する出力先を切り換える。具体的にはセレクタ４５は、制御部２が多重画像識別部４２からライン画像信号を受け取った場合には、制御部２の制御の下、階調処理部４４で階調値を調節されたラスタイメージを変調部１１のパワー変調回路１１１へ出力する。一方、制御部２が多重画像識別部４２から中間調画像信号を受け取った場合には、セレクタ４５は、上記のラスタイメージを変調部１１のパルス変調回路１１２へ出力する。
【００１７】
画像形成部１の変調部１１は、パワー変調回路１１１とパルス変調回路１１２とを備える。いずれも各色について２５６階調等で表現されているラスタイメージを各色の二値イメージデータに変調する回路である。パワー変調回路１１１は、ラスタイメージの画素値に応じて露光の光量を調整する回路である。パルス変調回路１１２は、露光光のパルス幅を制御し、ラスタイメージの画素値に応じたハーフトーン画像を生成する回路である。
【００１８】
［Ｂ．動作］
次に、本実施形態における画像形成装置１０００の動作について説明する。
［Ｂ−１．印刷動作］
図４は、画像形成装置１０００の印刷動作の流れを説明するためのフロー図である。制御部２は、画像処理部４の多重画像識別部４２からラスタイメージの画像の種別を表す信号をラスタイメージの画素毎に受け取る（ステップＳＡ０１）。制御部２は、この信号がライン画像信号か否かを判断する（ステップＳＡ０２）。この信号が中間調画像信号である場合は（ステップＳＡ０２；ＮＯ）、制御部２は、記憶部３から中間調画像用のパラメータＰ１を読み出して露光信号を生成し、その露光信号で中間調画像を構成する画素に対応する静電潜像を像保持体に書き込むなどして、画像を形成する（ステップＳＡ０３）。この場合、変調部１１が受け取ったラスタイメージの階調値をもとに、パターン発生部１１３がハーフトーン画像を生成する。
【００１９】
一方、この信号がライン画像信号である場合は（ステップＳＡ０２；ＹＥＳ）、制御部２は多重画像識別部４２から受け取った検出結果に基づいて、この画素が多重色高密度画素であるか否かを判断する（ステップＳＡ０４）。ここで、制御部２がこの画素を多重色高密度画素ではないと判断した場合には（ステップＳＡ０４；ＮＯ）、制御部２は、記憶部３から単一色ライン画像用のパラメータＰ２を読み出して露光信号を生成し、その露光信号で単一色ライン画像を構成する画素に対応する静電潜像を像保持体に書き込むなどして、画像を形成する（ステップＳＡ０５）。制御部２が、この画素を多重色高密度画素であると判断した場合には（ステップＳＡ０４；ＹＥＳ）、制御部２は、記憶部３から多重色ライン画像用のパラメータＰ３を読み出して露光信号を生成し、その露光信号で多重色ライン画像を構成する画素、つまり多重色高密度画素に対応する静電潜像を像保持体に書き込むなどして、画像を形成する（ステップＳＡ０６）。この場合、パワー変調回路１１１は、制御部２の制御の下、多重色高密度画素に対応する静電潜像を形成するときの露光光量を、それ以外の画素に対応する静電潜像を形成するときの露光光量よりも下げる処理を行う。
【００２０】
このように、画像の種別と、多重色高密度画素か否かによってラスタイメージの変調に用いるパラメータを変えることにより、多重色のライン画像を印刷する際に、ブラーが発生しにくくなる。また、多重色か否かに関わらず一律に露光光量を低減させたとすると、多重色の画像領域におけるブラーは抑制されるが、単一色の画像領域については、光量が足りずに線画などがかすれてしまう場合がある。本発明では、単一色のライン画像に対しては、従来どおりのパラメータＰ２を用いるため、多重色のライン画像の印刷においてはブラーが抑制されるとともに、単一色のライン画像の印刷においては印字のかすれが抑制される。また、パラメータの切り換えは画素毎に行っているので、同一ページ内に単一色ライン画像と多重色ライン画像とが混在していたり、或いは、同一ページ内にライン画像と中間調画像とが混在していたりしても、印刷に際して、それぞれに適したパラメータが使用される。
【００２１】
［Ｂ−２．パラメータ補正動作］
次に、パラメータの補正動作について説明する。図５は、画像形成装置１０００のパラメータ補正動作の流れを説明するためのフロー図である。
画像形成装置１０００は、上述の印刷動作の他に、図示しない操作部を介してユーザからのメンテナンス指示を受け、一連のメンテナンス動作を行う。
まず、画像形成装置１０００は、レジストレーション調整を行う（ステップＳＢ０１）。図２に示したように、Ｙ，Ｍ，Ｃ，Ｋの各色の感光体ドラムは、転写部１４の中間転写ベルト１４１に接触して、感光体ドラムの表面に形成されたトナー像が中間転写ベルト１４１に重ねて転写される。このときに、各色のトナーが中間転写ベルト１４１で重ねられることにより、多重色が発色されるところ、トナーが転写される位置がずれることがある。レジストレーション調整とは、この位置の補正をすることをいい、例えば、以下のような処理である。画像形成装置１０００は、各色のトナー像を所定のパターンで形成し、用紙に転写して定着させる。インラインセンサ１８は、これを読み取って対応する画像データを生成して制御部２へ出力する。制御部２は、この画像データを解析する。制御部２は、その解析結果から、用紙に転写された各色トナーの間隔のばらつきを検出すると、そのばらつきに応じて、露光用のＬＥＤ（Light Emitting Diode）の発光タイミングを調整する。
【００２２】
次に、画像形成装置１０００は、用紙に各色のトナーを重ね合わせた所定のパターンの画像を形成し、用紙に転写して定着させる（ステップＳＢ０２）。インラインセンサ１８は、これを読み取って対応する画像データを生成して制御部２へ出力する（ステップＳＢ０３）。制御部２は、この画像データを解析して、各多重色のラインの線幅を測定する（ステップＳＢ０４）。制御部２は、この解析結果に含まれる線幅の太さに応じて、露光用のＬＥＤが照射する光量の補正値を算出する（ステップＳＢ０５）。そして、制御部２は、算出された補正値に応じて、多重色ライン画像用のパラメータＰ３を補正して記憶部３に記憶する（ステップＳＢ０６）。
【００２３】
画像形成装置１０００の駆動時間が長くなり、感光体ドラムが繰り返し使用されると、感光体ドラムの膜圧が減少したり、現像剤の帯電が低下したりすることがある。このような経年変化は、多重色のライン画像におけるブラーの発生率にも影響するが、多重色ライン画像用のパラメータを固定してしまうと、経年変化に対応することができなくなる。また、このようなパラメータを設定可能にしたとしても、手動で設定するのであれば、膨大なテストパターンを目視により判断して、パラメータを調整しなければならず、煩雑である。上述のように、インラインセンサ１８は、定着部１５よりも用紙の搬送方向下流に配置されているので、定着後のトナー像を測定することができる。したがって、インラインセンサ１８は、レジストレーション調整と併せて自動的に多重色ライン画像のパラメータを補正することができ、感光体ドラムの経年変化に応じたブラー抑制がなされるとともに、補正のためのユーザの手間や待ち時間が省かれる。
【００２４】
［Ｃ．変形例］
上述した実施形態を次の例のように変形してもよい。また、これらの変形例を適宜組み合わせてもよい。
（１）上述した実施形態では、インラインセンサ１８は、冷却部１６の直後に設けられ、冷却部１６から排出される用紙の表面を測定したが、センサは他の位置に設けられていてもよい。例えば、用紙収容部１２に収容されている転写前の用紙の反射光から、その用紙が普通紙であるかコート紙であるかを判断してもよい。コート紙とは、パルプ繊維からなる普通紙の表面に樹脂層が形成された用紙のことである。この場合、普通紙の方がコート紙よりも光を拡散させて反射させるので、正反射光の強度は低い。したがって、このセンサは、反射光のうち正反射光の強度を測定して、照射光との比をとり、この比が所定の閾値を超えている場合には、用紙がコート紙であると判断すればよい。
コート紙は表面が平滑でトナーの定着力が普通紙よりも低いので、同じトナー量であっても普通紙よりもブラーが生じやすい。したがって、画像形成装置１０００が、用紙をコート紙と判断した場合には、露光光量を減らすようにしてもよい。なお、用紙の種別に応じて露光光量を調整するとともに、転写電圧を適宜調整してもよい。
【００２５】
（２）また、インラインセンサ１８は、用紙の表面に形成されたトナー像を読み取っていたが、中間転写体の表面に形成されたトナー像を読み取ってもよい。この場合、中間転写ベルト１４１の表面のうち、用紙と接触しない部分である端部に各色のトナーを転写して所定のパターンを形成し、このパターンをインラインセンサ１８が測定してもよい。こうすると、テストパターンの印刷用に用紙を消費する必要がない。また、用紙への転写を行わない待機時間であっても、ブラーの生じやすさ等を測定することができる。
【００２６】
（３）上述した実施形態では、多重画像識別部４２は、色変換処理部４３が変換したラスタイメージを画素毎に解析し各画素の色が多重色であるか否かを判定していたが、多重画像識別部４２は、色変換処理部４３が変換を行う前、すなわち、ラスタイメージ生成部４１が生成したラスタイメージを解析してもよい。この場合、Ｒ，Ｇ，Ｂの各階調値から単一色か多重色かを特定する特定手段があればよい。具体的には、多重画像識別部４２は、Ｒ，Ｇ，Ｂの各階調値を適当な範囲に区分し、その組み合わせと色数を対応付けた表を記憶しておけばよい。多重画像識別部４２は、ラスタイメージの階調値を画素毎に取得し、この表を参照して当該画素が多重色高密度画素であるか否かを判断すればよい。
【００２７】
（４）上述した実施形態では、多重画像識別部４２は、解析した画素の各色の階調値をそれぞれの閾値と比較して、２色以上の階調値がその閾値以上である場合に、その画素を多重色高密度画素として検出していた。しかし、各色に個別に閾値が設定されていなくてもよい。例えば、印刷の際に２色以上の色トナーを用いる場合であって、その合計の画像密度が閾値を超えるという場合に、その画素を多重色高密度画素として検出してもよい。
【図面の簡単な説明】
【００２８】
【図１】画像形成装置の全体構成を示すブロック図である。
【図２】画像形成装置の画像形成部の構造を示す図である。
【図３】画像処理部および画像形成部の電気的構成を示した図である。
【図４】画像形成装置の印刷動作の流れを説明するためのフロー図である。
【図５】画像形成装置のパラメータ補正動作の流れを説明するためのフロー図である。
【符号の説明】
【００２９】
１…画像形成部、１０００…画像形成装置、１１…変調部、１１１…パワー変調回路、１１２…パルス変調回路、１１３…パターン発生部、１２…用紙収容部、１３…画像形成ユニット、１４…転写部、１４１…中間転写ベルト、１４２…二次転写ロール、１４３…対向ロール、１５…定着部、１５１…加熱ロール、１５２…加圧ロール、１５３…剥離部材、１６…冷却部、１７…搬送部、１８…インラインセンサ、２…制御部、３…記憶部、４…画像処理部、４１…ラスタイメージ生成部、４２…多重画像識別部、４３…色変換処理部、４４…階調処理部、４５…セレクタ、９…外部装置。
【図１】
2009222784.tif 000003
【図２】
2009222784.tif 000004
【図３】
2009222784.tif 000005
【図４】
2009222784.tif 000006
【図５】
2009222784.tif 000007